(57)【特許請求の範囲】
【請求項１】
遊技機島が有する上枠板と下枠板との間に挿入された遊技機を前記遊技機島に固定する遊技機固定装置において、
前記遊技機を載置する座板を前記下枠板上に敷設し、
前記座板の載置面を前記遊技機の前面側から背後に向かって下り傾斜するように形成し、
前記上枠板に貫通穴を形成し、該貫通穴を介して硬質の高摩擦部材で遊技機をその上方から前記下枠板へ向けて押圧し、前記遊技機を前記高摩擦部材と前記座板の敷設された前記下枠板とによって挟持することで前記遊技機島に固定すると共に、
前記座板の載置面と接する前記遊技機の底部を支点にして前記座板の載置面に形成された傾斜に沿って前記遊技機を傾斜させた場合の傾斜角度を変更可能に規制する傾斜角変更手段を備え、
前記傾斜角変更手段は、前記遊技機の上部背面に当接される長さの異なる複数の突起部を備えると共に、前記遊技機の上部背面に当接させる突起部を切り換えることによって前記遊技機の傾斜角度を変更する
ことを特徴とする遊技機固定装置。
【請求項２】
遊技機島が有する上枠板と下枠板との間に挿入された遊技機を前記遊技機島に固定する遊技機固定装置において、
前記遊技機の底部の中央より前端寄りの箇所において、前記遊技機の底部と前記下枠板との間に支点部材を介挿し、
前記上枠板に貫通穴を形成し、該貫通穴を介して硬質の高摩擦部材で遊技機をその上方から前記下枠板へ向けて押圧し、前記支点部材を前記介挿した状態で前記遊技機を前記高摩擦部材と前記下枠板とによって挟持することで前記遊技機島に固定すると共に、
前記支点部材を支点として前記遊技機をその背面側へ傾斜させた場合の傾斜角度を変更可能に規制する傾斜角変更手段を備え、
前記傾斜角変更手段は、前記遊技機の上部背面に当接される長さの異なる複数の突起部を備えると共に、前記遊技機の上部背面に当接させる突起部を切り換えることによって前記遊技機の傾斜角度を変更する
ことを特徴とする遊技機固定装置。
【請求項３】
前記傾斜角変更手段は、
突起部が配設されたベースを先端部に取り付けると共に後端部に斜面の形成された傾斜角変更用ピストンと、
先端部に斜面が形成され、かつ後端部に回転操作子が連結されたローターと、
前記傾斜角変更用ピストンを回動不能かつ進退可能に収容すると共に、前記傾斜角変更用ピストンの後端部の斜面と前記ローターの先端部の斜面とが当接するようにして前記ローターを回動可能かつ進退不能に収容するシリンダと
を備え、
前記回転操作子を回動させることにより、前記傾斜角変更用ピストンの斜面と前記ローターの斜面との当接箇所を変化させて前記傾斜角変更用ピストンを進退させ、該進退に伴って前記ベースおよび前記突起部を進退させて、前記遊技機の傾斜角度を調整する
ことを特徴とする請求項１または２に記載の遊技機固定装置。
【請求項４】
前記座板の載置面のうち前記支点と接する箇所より遊技機の背面寄りの箇所に弾性部材を配設した
ことを特徴とする請求項１に記載の遊技機固定装置。
【請求項５】
前記下枠板のうち前記支点部材の配置箇所より遊技機の背面寄りの箇所に弾性部材を配設した
ことを特徴とする請求項２に記載の遊技機固定装置。
【請求項６】
前記貫通穴の真下の位置に弾性部材を配設した
ことを特徴とする請求項４または５に記載の遊技機固定装置。
【請求項７】
前記弾性部材は、遊技機の載置される面が高摩擦部材で構成されている
ことを特徴とする請求項４乃至６のいずれか１つに記載の遊技機固定装置。
【請求項８】
カム部が形成されたレバーと、前記カム部に当接された揺動部材と、該揺動部材の動きが伝達されると共に前記硬質の高摩擦部材が先端に設けられかつ前記貫通穴に挿通される押圧用ピストンとを備え、
前記レバーの操作に応じて前記カム部の凸側で前記揺動部材を押圧して揺動させ、この揺動に応じて前記押圧用ピストンを前記貫通穴の軸方向に沿って移動させることにより、前記硬質の高摩擦部材で前記遊技機を上方から前記下枠板へ向けて押圧した
ことを特徴とする請求項１乃至７のいずれか１つに記載の遊技機固定装置。
【請求項９】
リンク部材の一端が回動可能に連結されたレバーと、前記リンク部材の他端が回動可能に連結された揺動部材と、該揺動部材の動きが伝達されると共に前記硬質の高摩擦部材が先端に設けられかつ前記貫通穴に挿通される押圧用ピストンとを備え、
前記レバーの操作に応じて前記リンク部材を介して前記揺動部材を揺動させ、この揺動に応じて前記押圧用ピストンを前記貫通穴の軸方向に沿って移動させることにより、前記硬質の高摩擦部材で前記遊技機を上方から前記下枠板へ向けて押圧した
ことを特徴とする請求項１乃至７のいずれか１つに記載の遊技機固定装置。
【請求項１０】
前記揺動部材に設けたスリットに嵌め込まれてこのスリットに沿って前記遊技機の厚み方向に往来移動可能にされると共に前記押圧用ピストンに当接され、配置位置によって前記揺動部材と前記押圧用ピストンとの間に介在する厚みが異なるアジャスト部材を備え、前記アジャスト部材の配設位置に応じて前記押圧用ピストンの押圧移動開始位置を変化させる
ことを特徴とする請求項８または９に記載の遊技機固定装置。
【請求項１１】
サブリンク部材の一端が回動可能に連結されるとともに略上方に向かって延長されたサブレバーを備え、前記サブリンク部材の他端を回動可能に前記アジャスト部材に連結し、前記サブレバーの操作に応じて前記アジャスト部材の配設位置を変化させる
ことを特徴とする請求項１０に記載の遊技機固定装置。
【請求項１２】
前記遊技機の横枠に沿って前記上枠板と前記下枠板との間に補強フレームを取り付けた
ことを特徴とする請求項１乃至１１のいずれか１つに記載の遊技機固定装置。
【請求項１３】
複数の前記硬質の高摩擦部材で、前記遊技機をその上方から前記下枠板へ向けて押圧した
ことを特徴とする請求項１乃至１２のいずれか１つに記載の遊技機固定装置。
【請求項１４】
前記複数の硬質の高摩擦部材を前記遊技機の左右両端の上方に配置した
ことを特徴とする請求項１３に記載の遊技機固定装置。
【請求項１５】
前記上枠板は、遊技機島上部の幕板を取り付ける枠のうちの下側の枠である
ことを特徴とする請求項１乃至１４のいずれか１つに記載の遊技機固定装置。
【請求項１６】
前記硬質の高摩擦部材は、遊技機の背面から前面に向かう方向に対して逆目の鑢状を成している
ことを特徴とする請求項１乃至１５のいずれか１つに記載の遊技機固定装置。
【発明の詳細な説明】
【技術分野】
【０００１】
本発明は、パチンコ機などの遊技機を遊技機島に固定するための遊技機固定装置に関する。
【背景技術】
【０００２】
パチンコ機などの遊技機は、遊技機本体を収容する前枠と、該前枠が扉状に開閉可能に前面に取り付けられた外枠とを備え、該外枠を遊技機島の上枠板と下枠板（たとえば、上枠板は遊技機島上部の幕板を取り付ける枠のうちの下側の枠と兼用され、下枠板は、所謂、天板である）との間に挿入し、釘などで固定することにより遊技機島に設置されていた。
【０００３】
しかし、釘による固定では、繰り返し遊技機の入れ替えが行なわれる度に取り付け位置が穴だらけになり取り付けが困難になったり、遊技機の傾斜角度の調整に手間が掛かることから、各種の固定装置が提案されている。たとえば、遊技機島の上枠板に上部取付装置を、下枠板に下部取付装置をそれぞれ設置し、上部取付装置から遊技機の外枠の内側に係止部材を延ばし、該係止部材で外枠の内側から外枠上部の板を保持すると共に、下部取付装置から延びる係止部材で外枠下部の板を外枠の内側から保持することで遊技機を遊技機島に固定するようにした遊技機固定装置が提案されている（たとえば、特許文献１、特許文献２、特許文献３参照。）。
【０００４】
【特許文献１】特開平１１−５７１９３号公報
【特許文献２】特開２００２−６６１００号公報
【特許文献３】特開２００３−２４６０８号公報
【発明の開示】
【発明が解決しようとする課題】
【０００５】
上記の各特許文献に開示された遊技機固定装置は、いずれも遊技機の外枠を内側から保持するように構成されており、外枠の内側に対する作業が発生するが、該作業は、遊技盤や電装部が設けられている前枠を開かなければできない。このため、固定作業において、パチンコ機１台毎に前枠を開かなければならず、煩雑な手間を要して作業効率が悪いという問題があった。
【０００６】
本発明は、上記の問題を解決しようとするものであり、前枠を開くことなく遊技機を遊技機島に固定することのできる遊技機固定装置を提供することを目的としている。
【課題を解決するための手段】
【０００７】
上記の目的は以下に示す各項の発明により達成される。
【０００８】
［１］遊技機島が有する上枠板（４）と下枠板（３）との間に挿入された遊技機を前記遊技機島に固定する遊技機固定装置において、
前記遊技機を載置する座板（２１）を前記下枠板（３）上に敷設し、
前記座板（２１）の載置面を前記遊技機の前面側から背後に向かって下り傾斜するように形成し、
前記上枠板（４）に貫通穴（２３）を形成し、該貫通穴（２３）を介して硬質の高摩擦部材（３７）で遊技機をその上方から前記下枠板（３）へ向けて押圧し、前記遊技機を前記高摩擦部材（３７）と前記座板（２１）の敷設された前記下枠板（３）とによって挟持することで前記遊技機島に固定すると共に、
前記座板（２１）の載置面と接する前記遊技機の底部を支点にして前記座板（２１）の載置面に形成された傾斜に沿って前記遊技機を傾斜させた場合の傾斜角度を変更可能に規制する傾斜角変更手段（５０、６０、７０）を備え、
前記傾斜角変更手段（５０、６０、７０）は、前記遊技機の上部背面に当接される長さの異なる複数の突起部（５２、６４ａ、７５ａ）を備えると共に、前記遊技機の上部背面に当接させる突起部（５２）を切り換えることによって前記遊技機の傾斜角度を変更する
ことを特徴とする遊技機固定装置。
【０００９】
上記発明では、硬質の高摩擦部材（３７）を遊技機の上部に外側から当接させ、遊技機を上から下枠板（３）へ向けて押圧し、遊技機を該高摩擦部材（３７）と下枠板（３）とで挟持することによって遊技機島に固定している。遊技機を上から押圧して固定するので、遊技機上方から固定作業を進めることができ、遊技機１台毎に前枠を開ける必要がない。硬質の高摩擦部材（３７）は、たとえば、形状としてはヤスリや剣山状などにして、材質としては鉄などの金属の他、セラミックス、あるいはダイヤモンドなどの硬い鉱物を用いてもよい。
【００１９】
また上記発明では、座板（２１）の載置面を手前から奥に向けて下り傾斜させているので、座面上に遊技機を水平に載置すると遊技機底部の前端部のみが座板（２１）の載置面と当接し、ここを支点として遊技機を座板（２１）の載置面の傾斜角度まで任意に背面側へ傾斜させることができ、傾斜角度変更手段は、どの角度まで傾斜させるかを規制する。傾斜角変更手段（５０、６０、７０）の設定により、遊技機を任意の傾斜角度に保持した状態で固定することができる。
また上記発明では、長さが異なる複数の突起部（５２、６４ａ、７５ａ）の中から遊技機の上部背面に当接させるものを切り換えることにより、遊技機の傾斜角度を変更するので、簡単な操作で遊技機の傾斜角度を設定変更することができる。突起部（５２、６４ａ、７５ａ）の切り換え方法は問わない。たとえば、遊技機の背面部と平行に配置された円形のベース板上に長さの異なる複数の突起部を配置し、該ベース板を回動させることで遊技機の上部背面に当接させる突起部を切り換える方法や、直線状のベース板上に長さの異なる複数の突起部を配設し、ベース板をスライド移動させることで遊技機の上部背面に当接させる突起部を切り換える方法や、水平面内で回動可能に支持されるＮ角形、あるいは円盤形状のベース部材の外周に長さの異なる突起部を外側へ突出するように取り付け、該ベース部材を回動させることで遊技機の上部背面に当接させる突起部を切り換える方法などがある。
【００２０】
［２］遊技機島が有する上枠板（４）と下枠板（３）との間に挿入された遊技機を前記遊技機島に固定する遊技機固定装置において、
前記遊技機の底部の中央より前端寄りの箇所において、前記遊技機の底部と前記下枠板（３）との間に支点部材を介挿し、
前記上枠板（４）に貫通穴（２３）を形成し、該貫通穴（２３）を介して硬質の高摩擦部材（３７）で遊技機をその上方から前記下枠板（３）へ向けて押圧し、前記支点部材を前記介挿した状態で前記遊技機を前記高摩擦部材（３７）と前記下枠板（３）とによって挟持することで前記遊技機島に固定すると共に、
前記支点部材を支点として前記遊技機をその背面側へ傾斜させた場合の傾斜角度を変更可能に規制する傾斜角変更手段（５０、６０、７０）を備え、
前記傾斜角変更手段（５０、６０、７０）は、前記遊技機の上部背面に当接される長さの異なる複数の突起部（５２、６４ａ、７５ａ）を備えると共に、前記遊技機の上部背面に当接させる突起部（５２）を切り換えることによって前記遊技機の傾斜角度を変更する
ことを特徴とする遊技機固定装置。
【００２１】
上記発明では、遊技機は、該遊技機の底部の中央より前端寄りの箇所において該遊技機の底部と下枠板（３）との間に介挿された支点部材に接して支持されるので、ここを支点として遊技機を背面側へ傾斜させることができ、傾斜角変更手段（５０、６０、７０）は、どの角度まで傾斜させるかを規制する。傾斜角変更手段（５０、６０、７０）の設定により、遊技機を任意の傾斜角度に保持した状態で固定することができる。支点部材には、棒状部材や突起物、傾斜板などを使用することができる。
【００２４】
［３］前記傾斜角変更手段（６０）は、
突起部（６４ａ）が配設されたベース（６４）を先端部に取り付けると共に後端部に斜面（６１ａ）の形成された傾斜角変更用ピストン（６１）と、
先端部に斜面（６２ｂ）が形成され、かつ後端部に回転操作子（６５）が連結されたローター（６２）と、
前記傾斜角変更用ピストン（６１）を回動不能かつ進退可能に収容すると共に、前記傾斜角変更用ピストン（６１）の後端部の斜面（６１ａ）と前記ローター（６２）の先端部の斜面（６２ｂ）とが当接するようにして前記ローター（６２）を回動可能かつ進退不能に収容するシリンダ（６３）と
を備え、
前記回転操作子（６５）を回動させることにより、前記傾斜角変更用ピストン（６１）の斜面（６１ａ）と前記ローター（６２）の斜面（６２ｂ）との当接箇所を変化させて前記傾斜角変更用ピストン（６１）を進退させ、該進退に伴って前記ベース（６４）および前記突起部（５２）を進退させて、前記遊技機の傾斜角度を調整する
ことを特徴とする［１］または［２］に記載の遊技機固定装置。
【００２５】
上記発明では、回転操作子（６５）を回動させることでローター（６２）が連動して回動し、これにより傾斜角変更用ピストン（６１）が進退し、その先端に取り付けられた突起部（５２）が変位し、遊技機の背面上部と該突起部（５２）とが当接するまでの距離が変化して、遊技機の傾斜角度を微調整することができる。
［４］前記座板の載置面のうち前記支点と接する箇所より遊技機の背面寄りの箇所に弾性部材を配設した
ことを特徴とする［１］に記載の遊技機固定装置。
［５］前記下枠板のうち前記支点部材の配置箇所より遊技機の背面寄りの箇所に弾性部材を配設した
ことを特徴とする［２］に記載の遊技機固定装置。
上記［４］または［５］に係る発明では、弾性部材（２４）によって、遊技機固定装置から遊技機に加わる押圧力が調整され、押圧力による遊技機の歪みや撓みなどの変形が抑えられる。弾性部材（２４）はゴムが好ましいが、バネやエアダンパなどでもかまわない。
［６］前記貫通穴の真下の位置に弾性部材を配設した
ことを特徴とする［４］または［５］に記載の遊技機固定装置。
上記発明では、貫通穴（２３）の真下の位置に弾性部材（２４）が配設される。該箇所は、遊技機を介して遊技機固定装置からの押圧力が最も加わる部分なので、遊技機を支持する箇所として最適であり、押圧力による遊技機の歪みや撓みなどの変形を極力抑えることができると共に、弾性部材（２４）による押圧力の調整効果が効率よく発揮される。
［７］前記弾性部材（２４）は、遊技機の載置される面が高摩擦部材（３７）で構成されている
ことを特徴とする［４］乃至［６］のいずれか１つに記載の遊技機固定装置。
上記発明によれば、遊技機の底部を下方から高摩擦部材（３７）で押圧するようになり、より一層、遊技機島に遊技機をしっかりと固定することが可能になる。
【００２６】
［８］カム部（３３）が形成されたレバー（３４）と、前記カム部（３３）に当接された揺動部材（３５）と、該揺動部材（３５）の動きが伝達されると共に前記硬質の高摩擦部材（３７）が先端に設けられかつ前記貫通穴（２３）に挿通される押圧用ピストン（３６）とを備え、
前記レバー（３４）の操作に応じて前記カム部（３３）の凸側で前記揺動部材（３５）を押圧して揺動させ、この揺動に応じて前記押圧用ピストン（３６）を前記貫通穴（２３）の軸方向に沿って移動させることにより、前記硬質の高摩擦部材（３７）で前記遊技機を上方から前記下枠板（３）へ向けて押圧した
ことを特徴とする［１］乃至［７］のいずれか１つに記載の遊技機固定装置。
【００２７】
上記発明によれば、レバー（３４）および揺動部材（３５）がそれぞれ操作力を増大させる「てこ」として機能し、小さい操作力で大きな押圧力を得ることができる。
【００２８】
［９］リンク部材（１０２）の一端が回動可能に連結されたレバー（１０１）と、前記リンク部材（１０２）の他端が回動可能に連結された揺動部材（３５）と、該揺動部材（３５）の動きが伝達されると共に前記硬質の高摩擦部材（３７）が先端に設けられかつ前記貫通穴（２３）に挿通される押圧用ピストン（３６）とを備え、
前記レバー（１０１）の操作に応じて前記リンク部材（１０２）を介して前記揺動部材（３５）を揺動させ、この揺動に応じて前記押圧用ピストン（３６）を前記貫通穴（２３）の軸方向に沿って移動させることにより、前記硬質の高摩擦部材（３７）で前記遊技機を上方から前記下枠板（３）へ向けて押圧した
ことを特徴とする［１］乃至［７］のいずれか１つに記載の遊技機固定装置。
【００２９】
上記発明によれば、レバー（１０１）および揺動部材（３５）がそれぞれ操作力を増大させる「てこ」として機能し、小さい操作力で大きな押圧力を得ることができる。
【００３０】
［１０］前記揺動部材（３５）に設けたスリットに嵌め込まれてこのスリットに沿って前記遊技機の厚み方向に往来移動可能にされると共に前記押圧用ピストン（３６）に当接され、配置位置によって前記揺動部材（３５）と前記押圧用ピストン（３６）との間に介在する厚みが異なるアジャスト部材（３８）を備え、前記アジャスト部材（３８）の配設位置に応じて前記押圧用ピストン（３６）の押圧移動開始位置を変化させる
ことを特徴とする［８］または［９］に記載の遊技機固定装置。
【００３１】
上記発明では、アジャスト部材（３８）の配置位置によって押圧用ピストン（３６）の移動開始位置を変化させることができるので、遊技機毎の高さのバラツキに応じて押圧用ピストン（３６）の移動量を最適にすることができる。
【００３２】
［１１］サブリンク部材（９２）の一端が回動可能に連結されるとともに略上方に向かって延長されたサブレバー（９１）を備え、前記サブリンク部材（９２）の他端を回動可能に前記アジャスト部材（３８）に連結し、前記サブレバー（９１）の操作に応じて前記アジャスト部材（３８）の配設位置を変化させる
ことを特徴とする［１０］に記載の遊技機固定装置。
【００３３】
上記発明によれば、略上方に向かって延長されたサブレバー（９１）の操作に応じてアジャスト部材（３８）の配設位置を変化させるので、たとえば、遊技機島の上部を覆っている幕板（５）が呼出ランプ（８）の上にある遊技機島の場合には、取付作業者が幕板（５）を開けて手を伸ばしてもアジャスト部材（３８）に手が届かない場合が生じ得るが、略上方に延長されたサブレバー（９１）を設けることで、手が届き易くなり、該サブレバー（９１）を介してアジャスト部材（３８）の配設位置を変化させることができる。
【００３４】
［１２］前記遊技機の横枠に沿って前記上枠板（４）と前記下枠板（３）との間に補強フレーム（２２）を取り付けた
ことを特徴とする［１］乃至［１１］のいずれか１つに記載の遊技機固定装置。
【００３５】
上記発明では、硬質の高摩擦部材（３７）で上から遊技機を押圧した場合に生じる反力で上枠板（４）や下枠板（３）に歪みや撓みが生じるのを防ぐことができる。
【００３６】
［１３］複数の前記硬質の高摩擦部材（３７）で、前記遊技機をその上方から前記下枠板（３）へ向けて押圧した
ことを特徴とする［１］乃至［１２］のいずれか１つに記載の遊技機固定装置。
【００３７】
上記発明では、より一層安定した状態で遊技機を遊技機島にしっかりと固定することが可能になる。
【００３８】
［１４］前記複数の硬質の高摩擦部材（３７）を前記遊技機の左右両端の上方に配置した
ことを特徴とする［１３］に記載の遊技機固定装置。
【００３９】
上記発明では、遊技機の剛性が遊技機の中央と比較して強い左右両枠近傍の上方から遊技機を押圧するので、遊技機の歪みや撓みなどの変形を極力抑えることができる。
【００４０】
［１５］前記上枠板（４）は、遊技機島上部の幕板（５）を取り付ける枠のうちの下側の枠である
ことを特徴とする［１］乃至［１４］のいずれか１つに記載の遊技機固定装置。
【００４１】
上記発明では、幕板（５）を開いて、取り付け作業が可能になる。
【００４２】
［１６］前記硬質の高摩擦部材（３７）は、遊技機の背面から前面に向かう方向に対して逆目の鑢状を成している
ことを特徴とする［１］乃至［１５］のいずれか１つに記載の遊技機固定装置。
【００４３】
上記発明によれば、遊技機は、前枠を開くと重心が前方に移動して手前に移動しやすい。そこで、硬質の高摩擦部材（３７）を遊技機の背面から前面に向かう方向に対して逆目の鑢状（ヤスリ状）にすることで、手前に動こうとする遊技機に対して鑢が逆目に働き、遊技機の変位が効果的に阻止される。これにより、上方からの押圧力を少なくしても、しっかりと遊技機を固定することができる。なお、鑢状にすることで、木やアルミニウムなどの金属、プラスチックなど様々な材質の遊技機外枠に対応可能になる。
【発明の効果】
【００４４】
本発明に係わる遊技機固定装置によれば、上枠板の貫通穴を通じて遊技機を硬質の高摩擦部材で上から押圧し、遊技機を高摩擦部材と下枠板との間で挟持して遊技機島に固定するので、固定作業が遊技機の上方からの作業で済み、遊技機１台毎に前枠を開ける必要がなく、固定作業が容易になって作業効率を向上させることができる。また、硬質の高摩擦部材で押圧して遊技機を固定するので、固定作業あるいは遊技機島のメンテナンスや修繕作業時に重たい前枠を開いても、遊技機の固定位置が変化してしまうことがなく、遊技機を遊技機島にしっかりと固定することができる。
【発明を実施するための最良の形態】
【００４５】
以下、図面に基づき本発明の各種実施の形態を説明する。
【００４６】
図１は、本発明の第１の実施の形態に係わる遊技機固定装置３０によって遊技機１０を遊技機島２に固定した状態の正面を、図２は、該状態の側面をそれぞれ示している。また、図３、図４は、遊技機１０の外観を示している。ここでは、遊技機１０はパチンコ機を例に説明するが、スロットマシンなど他の種類の遊技機であってもかまわない。
【００４７】
図３、図４に示すように、遊技機１０は、遊技機島２に固定するための中空矩形の外枠１１と、該外枠１１の左前縁部に設けたヒンジ１３に軸支されて扉状に開閉可能な前枠１２とを備えている。前枠１２には、遊技盤や遊技球の払い出し装置などの機構部品や回路部品が取り付けてあり、前枠１２を開くことで、背面からこれらの機構部品や回路部品を保守点検できるようになっている。
【００４８】
図１、図２に示すように、遊技機島２は、遊技機１０を背中合わせにした状態で多数の遊技機１０を表裏面に並設収容すると共に、遊技に供する遊技球を遊技機島２の中で循環させて繰り返し使用するための各種付帯設備を収容した構造物である。遊技機島２は、若干の余裕を持って遊技機１０が収まるように上下方向に間隔を空けて島の長手方向に掛け渡された下枠板３と上枠板４とを備えている。下枠板３は、遊技者が玉箱などを載置する、所謂、天板であり、上枠板４は、遊技機１０の上方に配置された遊技球補給路７などを、美観上、遊技者から見えなくするための幕板５が取り付けられる固定枠のうちの下側の枠としての機能を兼ねている。下枠板３の下方には、遊技機島２の内部に配設された図示省略の遊技球回収経路や貯留タンクなどを覆い隠すための腰板６が取り付けてある。幕板５は、図２に示すようにヒンジで開閉可能に遊技機島２に取り付けられてもよいし、島２から着脱可能に構成されてもよい。
【００４９】
遊技機１０を遊技機島２に取り付ける際には、下枠板３の上に座板２１を敷設し、該座板２１の上に遊技機１０を載置する。上枠板４には、設置する遊技機１０の左右両端近傍の上方となる箇所にそれぞれ遊技機固定装置３０が取り付けてあり、これら遊技機固定装置３０によって遊技機１０を上方から押圧することで遊技機島２に遊技機１０を固定するようになっている。また、下枠板３と上枠板４との間には、遊技機１０の外枠１１の一部を構成する左右の横枠１１ａに沿って補強フレーム２２を取り付けてある。
【００５０】
図５は、遊技機固定装置３０の取り付け箇所における上枠板４を示す平面図である。上枠板４には、遊技機固定装置３０の取り付け箇所において同図に示すような貫通穴２３が開設される。
【００５１】
図６は、座板２１の平面を、図７は、座板２１の断面を模式的に示したものである。座板２１は、遊技機１０の前面側から背後に向かって僅かに下り傾斜するように形成されている。また、座板２１の載置面上には、貫通穴２３のほぼ真下となる箇所に弾性部材２４が貼り付けてある。ここでは、弾性部材２４としてゴム板を使用している。座板２１の後端部２１ａは突起しており、遊技機１０の後方への載置位置を規制すると共に、後方へのずれ落ちを防止するストッパとして機能する。
【００５２】
図７に示すように、座板２１の載置面は遊技機１０の前面側から奥に向けて下り傾斜しているので、座板２１の上に遊技機１０を略水平に載置すると遊技機１０の底部のうち前端のみが座板２１の載置面と当接し、ここを支点２５として、遊技機１０を背面側へ、座板２１の載置面の傾斜角度と一致するまで任意の角度に傾斜させることができるようになっている。遊技機１０の傾斜角度の調整については後述する。なお、遊技機１０を座板２１上に載置して遊技機固定装置３０で上から押圧すると弾性部材２４が遊技機１０の重みと押圧力とによって変形し、遊技機１０の外枠１１に加わる押圧力が適度に調整されて外枠１１の歪みや変形が防止される。
【００５３】
次に、遊技機固定装置３０の構成について説明する。
【００５４】
図８は遊技機固定装置３０の右側面における部分断面を、図９は遊技機固定装置３０の正面を、図１０は遊技機固定装置３０の底面をそれぞれ示している。遊技機固定装置３０は、断面上向きコの字状で所定長を成すハウジング部３１と、全体としてＬ字状を成すようにハウジング部３１の後端から垂直下方に延びるフレーム３２とを備えている。遊技機固定装置３０は、固定用雌螺子穴３１ａを通した螺子で上枠板４に固定される。
【００５５】
遊技機固定装置３０は、基端にカム部３３が形成されたレバー３４と、カム部３３に当接された揺動部材３５と、該揺動部材３５の動きが伝達される押圧用ピストン３６と、押圧用ピストン３６の先端に取り付けられた硬質の高摩擦部材３７とを備えている。
【００５６】
レバー３４は、ハウジング部３１の後端上部に設けたレバー支持軸４１により基端の近傍で回動可能に軸支されている。揺動部材３５は、ハウジング部３１よりひと回り小さい下向き断面コの字状を成した部材であり、ハウジング部３１の先端近傍で揺動部材支持軸４２により軸支されてハウジング部３１の内側に揺動可能に収容される。揺動部材３５の上面には、該揺動部材３５の長手方向に沿ってスリット３５ａが形成してあり、該スリット３５ａには、これに沿ってスライド移動されるアジャスト部材３８が嵌め込まれている。アジャスト部材３８は、スリット３５ａより下方の押圧部３８ａとスリット３５ａより上方のハンドル部３８ｂとから成る。押圧部３８ａは、ハウジング部３１の後端側へいくほど厚みが増すような楔状を成している。
【００５７】
揺動部材３５の両側面にはそれぞれ縦長の長穴３５ｂが対向するように形成してある。押圧用ピストン３６は、両側面の長穴３５ｂに挿通させたピストン支持軸４３に上側端部が支持されており、ピストン支持軸４３と共に該長穴３５ｂに沿って上下動可能になっている。ハウジング部３１の底部にはシリンダ３１ｂが押圧用ピストン３６の外周を取り囲むように設けてあり、押圧用ピストン３６の上下動の軌道を垂直方向に規制している。
【００５８】
押圧用ピストン３６はバネ４４によってハウジング部３１の底面に対して上方へ付勢されている。また、揺動部材３５はカム部３４側の端部が上方へ持ち上がるように、押圧用ピストン３６およびアジャスト部材３８を介してバネ４４により付勢されている。揺動部材３５の後端が持ち上がるように付勢されることから揺動部材３５の後端上面とカム部３３との当接状態が保持される。なお、図９においては、バネ４４は図示省略してある。
【００５９】
レバー３４には、該レバー３４を手前に倒したときにアジャスト部材３８の押圧部３８ａに対する干渉を防ぐための逃げ穴３４ａを形成してある。
【００６０】
遊技機固定装置３０においては、アジャスト部材３８を前後にスライドさせて配置位置を変えることで、揺動部材３５に対する押圧用ピストン３６の上下の位置が調整される。また、レバー３４を手前に倒すことでカム部３３の凸部が揺動部材３５の後端を押し下げ、該揺動部材３５の下方への揺動に伴って押圧用ピストン３６が下方へ進出し、先端の高摩擦部材３７で遊技機１０を上方から押圧する状態が形成される。
【００６１】
フレーム３２の押圧用ピストン３６側を臨む面の下端近傍には傾斜角変更機構５０が取り付けてある。傾斜角変更機構５０は、取り付け面と平行に回動する回転ベース５１と、等角度間隔で該回転ベース５１に対して垂直に配設された長さの異なる複数の突起部５２とから構成される。この例では、１２０度間隔で３つの突起部５２が設けてある。回転ベース５１は、いずれかの突起部５２が真上に来る毎に、カチ・カチと引っ掛かって停止するように構成されている。
【００６２】
図６、図７で説明したように、遊技機１０を前面側から後方に向かって僅かに傾斜した座板２１の上に載置すると、遊技機１０の底部の前端が支点２５となって遊技機１０が後方に傾斜可能な状態となる。遊技機１０は外枠１１の上部背面が、真上の位置になっている突起部５２に当接したところで後方への傾斜が規制され、その傾斜角度に保持される。したがって、傾斜角変更機構５０の回転ベース５１を回動させて真上の位置に来る突起部５２の長さを変更することで、遊技機１０の傾斜角度を変更することができる。本例の傾斜角変更機構５０の場合には、長さの異なる３種類の突起部５２を有しているので、傾斜角度を３段階に切り替えることができる。
【００６３】
図１１は、高摩擦部材３７の詳細を示している。高摩擦部材３７は、同図（ａ）に示すように、歯は複数列に形成されており、各列においては間欠的（図中のピッチＰ）に形成されている。複数列とすることにより広範な接触範囲を確保すると共に、歯を間欠的に設けることで接触面積が減り、単位面積あたりの押圧力が高まり、外枠１１へ食い込み易くなっている。ピッチＰや列の数、列同士の間隔などは適宜に設定すればよい。
【００６４】
さらに同図（ｂ）に示すように、高摩擦部材３７は遊技機１０の背面から前面に向かう方向に対して逆目の鑢状を成している。たとえば、歯は、遊技機１０の挿入方向に対しては斜面を成し、抜出方向には垂直となるように形成される。遊技機１０を遊技機島２に設置した後に前枠１２を開くと重心が前方に移動して手前に遊技機１０が移動しやすい。そこで、硬質の高摩擦部材３７を遊技機１０の背面から前面に向かう方向に対して逆目の鑢状にすることで、手前に移動しようとする遊技機に対して鑢が逆目に働き、遊技機１０の移動が効果的に阻止される。これにより、遊技機固定装置３０による上方からの押圧力を少なくしても、しっかりと遊技機１０を固定することができる。なお、鑢状にすることで、木製やアルミニウム製など様々な材質の外枠１１に対応することができる。硬質の高摩擦部材３７は、たとえば、形状としてはヤスリや剣山状などにして、材質としては鉄などの金属の他、セラミックス、あるいはダイヤモンドなどの硬い鉱物を用いてもよい。
【００６５】
図１２は、遊技機固定装置３０を用いて遊技機１０を遊技機島２に固定する際の操作手順を示している。予め傾斜角変更機構５０を回動させて所望の傾斜角度となるように突起部５２を選択しておく。その後、遊技機１０を座板２１の上に載せ、外枠１１の上部背面を突起部５２に当接させる（図１２（ａ））。これにより遊技機１０の傾斜角度が設定される。
【００６６】
次に、アジャスト部材３８を遊技機１０の前面側に向けてスライドさせて押圧用ピストン３６を下方に移動させ、遊技機１０の外枠１１の上面に押圧用ピストン３６の先端に設けた高摩擦部材３７を当接させる。これにより遊技機１０毎の高さのばらつきに応じた押圧用ピストン３６の押圧移動開始位置が決まる(図１２（ｂ）)。
【００６７】
次に、レバー３４を手前に引き倒す。この操作によりカム部３３の凸側で揺動部材３５が押し下げられ、アジャスト部材３８を介して押圧用ピストン３６が下降して遊技機１０の外枠１１に対する押圧力が増加する。こうして遊技機１０を上方から座板２１および下枠板３に押し付けて挾持することで、遊技機１０が遊技機島２に固定される（図１２（ｃ））。
【００６８】
なお、レバー３４と揺動部材３５がそれぞれ「てこ」の働きをするので、少ない操作力で押圧用ピストン３６を押し下げて外枠１１を押圧することができる。また、座板２１に弾性部材２４を設けてあるので、余分な押圧力が緩和され、遊技機１０の外枠１１に加わる押圧力が適度な大きさに調整されて外枠１１の歪みや変形を防止することができる。さらに、外枠１１の両サイドに上枠板４と下枠板３とを繋ぐ補強フレーム２２を設けてあるので、押圧用ピストン３６を押し下げて外枠１１を押圧した際の反力が上枠板４や下枠板３に加わってもこれらの歪み・撓み・変形などが防止される。
【００６９】
さらに、硬質の高摩擦部材３７で押圧するので、前枠１２を開くなどの大きな力が遊技機１０の外枠１１に働いても、遊技機島２に対して外枠１１が位置ずれすることがなく、しっかりと固定される。
【００７０】
次に、微調整機能を備えた傾斜角度調整機構について説明する。
【００７１】
図１３に示すように、遊技機１０の外枠１１の上部背面の角には、通常、補強用の金具１４が取り付けられており、該金具１４が左右両側にある場合と片側にだけある場合がとある。図１に示すように遊技機固定装置３０を遊技機１０の左右両端近傍に設けた場合、傾斜角変更機構５０の突起部５２の当接する位置にちょうど金具１４が存することがあり、その場合に片側だけに金具１４があると、金具１４の厚みによって左右で微妙に傾斜角度が相違しまう。突起部の切り換え機能に加えて微調整機能を備えた傾斜角度調整機構においては、このような場合にも左右の傾斜角度が等しくなるように調整することができる。
【００７２】
図１４は、微調整機能を備えた傾斜角度調整機構６０の分解図を、図１５は、微調整していない状態の傾斜角度調整機構６０を、図１６は、突起部が進出するように微調整した状態の傾斜角度調整機構６０をそれぞれ示している。傾斜角度調整機構６０は、傾斜角変更用ピストン６１と、ローター６２と、シリンダ６３と、回転ベース６４と、回転操作子としての回転ツマミ６５と、バネ６６と、軸支ネジ６７と、抜止ネジ６８と、固定ネジ６９とから構成される。
【００７３】
傾斜角変更用ピストン６１およびローター６２を収容するシリンダ６３は、固定ネジ６９でフレーム３２に固定される。傾斜角変更用ピストン６１は略円筒形状を成すと共に外周面の軸方向に延びるリブ６１ａを備え、シリンダ６３の内周面には該リブ６１ａに対応する箇所において軸方向に延びる係止溝６３ａが形成されている。リブ６１ａと係止溝６３ａとが係合することで傾斜角変更用ピストン６１はシリンダ６３に対して相対回転せずにシリンダ６３内を軸方向に進退するようになっている。傾斜角変更用ピストン６１の先端には、円盤状の回転ベース６４が軸支ネジ６７により回動自在に軸支されている。回転ベース６４は表面に長さの異なる突起部６４ａが複数形成されている。回転ベース６４は傾斜角変更用ピストン６１に対して相対的に回動する際に、いずれかの突起部６４ａが真上に来る毎にカチ・カチと引っ掛かって停止するように構成されている。傾斜角変更用ピストン６１の後端には斜面６１ｂが形成されている。
【００７４】
ローター６２の先端（傾斜角変更用ピストン６１側の端部）には傾斜角変更用ピストン６１の斜面６１ｂと当接される斜面６２ａが形成してある。ローター６２の後端には回転ツマミ６５が連結される。詳細には、ローター６２の後端には６角形の連結突起６２ｂが形成してあり、回転ツマミ６５の中心に形成された６角穴部６５ａと係合してこれらが一体となって回動するようになっている。
【００７５】
傾斜角度調整機構６０は、シリンダ６３内にローター６２および傾斜角変更用ピストン６１を収容すると共に、ローター６２の後端に回転ツマミ６５を連結させた後、キャップ６６ａを付けたバネ６６を回転ツマミ６５の外側に配置し、抜け止め防止用の抜止ネジ６８をキャップ６６ａのさらに外側から、キャップ６６ａおよびバネ６６、回転ツマミ６５、シリンダ６３、ローター６２に、それらの中心に設けられた穴部を通じて貫通させ、傾斜角変更用ピストン６１の内部中心に立設された螺子受け部６１ｃに抜止ネジ６８を螺合させて組み立てられる。傾斜角変更用ピストン６１はバネ６６によってローター６２側へ付勢されており、傾斜角変更用ピストン６１の進退に応じてバネ６６が伸縮するようになっている。
【００７６】
図１６に示すように、回転ツマミ６５を回動させると、これに連動してローター６２がシリンダ６３内で回動し、傾斜角変更用ピストン６１の後端の斜面６１ｂとローター６２の先端の斜面６２ａとの当接箇所が変化する。これにより傾斜角変更用ピストン６１とローター６２との距離が変化して傾斜角変更用ピストン６１がシリンダ６３に対して前進・後退する。回転ツマミ６５の背面には目盛り６５ｂが記されていると共にシリンダ６３の外周面には目印リブ６３ｂが記されており、目印リブが指し示す目盛値によって傾斜の調整値を確認できるようになっている。
【００７７】
複数の遊技機１０を設置する場合、１台目の遊技機１０については前枠１２を開いて回転ツマミ６５を回して傾斜角の微調整を行ない、そのときの目盛値を読み取っておく。２台目以降の遊技機１０については、遊技機１０を座板２１上に載置する前に予め目盛値を先ほど読み取った値に合わせておけば、前枠１２を開くことなく設置作業を進めることができる。このように、微調整機構を備えた傾斜角度調整機構６０を用いることで、遊技機１０の外枠１１の上部背面の片側だけに金具１４があるような場合でも、金具１４の厚み分の相違を微調整することができ、左右の傾斜角度を揃えることができる。
【００７８】
次に、突起部の形成された回転ベースを水平面内で回転させるタイプの水平型傾斜角度調整機構について説明する。
【００７９】
図１７（ａ）は突起部を進出させた状態の水平型傾斜角度調整機構７０を、図１７（ｂ）は突起部を後退させた状態の水平型傾斜角度調整機構７０を、図１８（ａ）は水平型傾斜角度調整機構７０の分解図を、図１８（ｂ）は図１７（ａ）におけるＡ−Ａ矢視断面をそれぞれ示している。また図１９（ａ）は、水平型傾斜角度調整機構７０を備えた遊技機固定装置８０を示している。遊技機固定装置８０は、遊技機固定装置３０に比べて、フレーム３２および傾斜角変更機構５０の代わりに水平型傾斜角度調整機構７０を備える点で相違し、ハウジング部３１など他の部分については遊技機固定装置３０と同一構成になっている。
【００８０】
水平型傾斜角度調整機構７０は、ケース部７１と、スライド部７２と、回転シャフト部７３と、回転ツマミ７４と、水平回転ベース７５と、軸支ネジ７６と、操作部固定ネジ７７とから構成される。回転シャフト部７３は円筒状を成し、外周面にねじ溝７３ａが形成されて雄螺子として機能する。スライド部７２は、回転シャフト部７３が螺合するように内周面にねじ溝７２ａが形成された筒部７２ｂと該筒部７２ｂから下方に伸びる支持板７２ｃとから構成される。
【００８１】
回転シャフト部７３の両端からはそれぞれ回動軸７３ｂ、７３ｃが突出しており、ケース部７１はこれらの回動軸７３ｂ、７３ｃに対応する軸受け部７１ａ、７１ｂを両端に有している。ケース部７１には、スライド部７２と回転シャフト部７３とが螺合された状態で、かつ回転シャフト部７３の回動軸７３ｂ、７３ｃを軸受け部７１ａ、７１ｂで受け止めるようにして収容される。このときスライド部７２の支持板７２ｃはケース部７１の下部に形成された挿通溝７１ｃを通じて外部に下端を露出させる。水平回転ベース７５は該露出した支持板７２ｃの下端に軸支ネジ７６で回動可能に水平に軸支される。水平回転ベース７５の外周面には、半径方向の外方へ突出するように長さの異なる複数の突起部７５ａが等角度間隔に配設されている。水平回転ベース７５は、いずれかの突起部７５ａが遊技機１０の上部背面を臨む正面位置でカチ・カチと停止するように構成されている。
【００８２】
図１８（ｂ）に示すように、スライド部７２はケース部７１の内部で回動不能に収容されており、回転ツマミ７４を回して回転シャフト部７３を回動させると、回動不能なスライド部７２がケース部７１の中で軸方向に進退するようになっている。図１７（ａ）は、回転ツマミ７４を矢印Ｂ方向に回してスライド部７２および水平回転ベース７５を遊技機１０の前面側へ進出させた状態を示している。図１７（ｂ）のように回転ツマミ７４を矢印Ｂと逆方向の矢印Ｃ方向に回すと、スライド部７２および水平回転ベース７５が遊技機１０から遠ざかるように後退する。図１７（ａ）の矢印Ｄが示すように水平回転ベース７５を水平に回動させることで、遊技機１０の上部背面に当接させる突起部７５ａが切り換わる。
【００８３】
図１９（ｂ）に示すように、遊技機１０の外枠１１の上枠１１ｂよりも横枠１１ａが背面側へ突き出ている場合には、垂直面内で回転ベース５１を回動させるタイプの傾斜角変更機構５０（傾斜角度調整機構６０でも同様）では横枠１１ａの突き出た分が回転ベース５１に当たってしまうので、外枠１１の上部背面（上枠１１ｂ）に突起部５２を当接させることができない。これに対し水平型傾斜角度調整機構７０では、水平回転ベース７５を水平面内で回動させるので、図１９（ａ）に示すように、上枠１１ｂよりも横枠１１ａが背面側へ突き出ている場合にも突起部７５ａを上枠１１ｂに当接させて遊技機１０の傾斜角度を設定することができる。なお、水平型傾斜角度調整機構７０においては、上枠１１ｂの奥行きが通常より数センチ短い場合にも対応できるようにスライド部７２のストロークを充分大きくとってある。図１９（ｃ）に示すように上枠１１ｂより遊技機１０の背面部品の保護カバー１５が後方へ突き出ている場合にも同様である。このように本発明では、遊技機１０の背面の状況に応じて柔軟に対処することができる。
【００８４】
次に、本発明の第２の実施の形態を説明する。
【００８５】
図２０は、本発明の第２の実施の形態に係わる遊技機固定装置９０と、遊技機固定装置９０の遊技機島２ａへの取り付け状態とを示している。図１および図２において示した遊技機島２では遊技機１０の直ぐ上に幕板５が設置されていたが、図２０に示す遊技機島２ａでは、遊技機１０の直ぐ上に呼び出しランプ８がある。このため、上枠板４に取り付けた遊技機固定装置９０が幕板５を開いた開口部５ａから遠くなり、該開口部５ａから作業者が手を伸ばしてもアジャスト部材３８まで届かなかったり、手が届き難くて作業性が低下したりする。
【００８６】
そこで、第２の実施の形態に係わる遊技機固定装置９０ではアジャスト部材３８をスライド移動させるためのサブレバー９１を上方に延設してある。詳細には、レバー３４と同様にレバー支持軸４１に軸支されて略上方に延びるサブレバー９１を設けると共に、一端がサブレバー９１の途中に回動可能に連結され、他端がアジャスト部材３８のハンドル部３８ｂに回動可能に連結されたサブリンク部材９２を設け、サブレバー９１の回動操作に応じてアジャスト部材３８がスライド移動するように構成してある。また、レバー３４´にはレバー３４´を手前に倒したときにサブレバー９１とサブリンク部材９２に対する干渉を防ぐための図示しない逃げ穴が形成されている。他の構成につては第１の実施の形態で示した遊技機固定装置３０と同一であり、それらの説明は省略する。
【００８７】
図２１は、遊技機固定装置９０を用いて遊技機１０を遊技機島２ａに固定する際の操作手順を示している。予め傾斜角変更機構５０を回動させて所望の傾斜角度となるように突起部５２を選択しておく。その後、遊技機１０を座板２１の上に載せ、外枠１１の上部背面を突起部５２に当接させる（図２１（ａ））。
【００８８】
次に、サブレバー９１を手前に倒すことにより、アジャスト部材３８を遊技機１０の前面側に向けてスライドさせて押圧用ピストン３６を下方に移動させ、遊技機１０の外枠１１の上部に押圧用ピストン３６の先端の高摩擦部材３７を当接させる。これにより遊技機１０毎の高さのばらつきに応じた押圧用ピストン３６の押圧移動開始位置が決まる(図２１（ｂ）)。
【００８９】
次に、レバー３４´を手前に引き倒すと、カム部３３の凸側で揺動部材３５が押し下げられ、アジャスト部材３８を介して押圧用ピストン３６が下降して遊技機１０の外枠１１に対する押圧力を増加する。こうして遊技機１０を上方から座板２１および下枠板３に押し付けて挾持し、遊技機島２に固定する（図２１（ｃ））。
【００９０】
このように、上方に延長されたサブレバー９１を操作することでアジャスト部材３８をスライド移動させることができるので、幕板５と遊技機１０との間に呼び出しランプ８を有する遊技機島２ａにおいても、幕板５を開いた開口部５ａから手を入れるとサブレバー９１およびレバー３４に手が届き容易に操作することが可能になり、遊技機１０の固定作業を円滑に進めることができる。
【００９１】
次に、本発明の第３の実施の形態を説明する。
【００９２】
図２２は、本発明の第３の実施の形態に係わる遊技機固定装置１００と、該遊技機固定装置１００による遊技機島２への遊技機１０の固定手順とを示している。第１、第２の実施の形態で示した遊技機固定装置３０および遊技機固定装置９０では、カム部３３によって揺動部材３５を押し下げて揺動させたが、第３の実施の形態に係わる遊技機固定装置１００では、カム部３３に代えて、リンク機構を利用して揺動部材３５を揺動させている。他の構成については第１の実施の形態に示した遊技機固定装置３０と同様であり、それらの説明は省略する。
【００９３】
図２２（ａ）に示すように、遊技機固定装置１００は、直線状の握持部１０１ａの下端から略コの字状に湾曲して延びる湾曲部１０１ｂの形成された操作レバー１０１を備えている。湾曲部１０１ｂの末端は、フレーム３２に回動自在に軸支されると共に、コの字状の湾曲部１０１ｂの途中の箇所にリンク部材１０２の一端が回動自在に連結されている。リンク部材１０２の他端は揺動部材３５の後端近傍に回動可能に連結されている。また、湾曲部１０１ｂの下半部には、操作レバー１０１を手前に倒したときにアジャスタ部材３８とリンク部材１０２に対する干渉を防ぐための図示しない逃げ穴が形成されている。
【００９４】
遊技機固定装置１００を用いて遊技機１０を遊技機島２に固定する際には、傾斜角変更機構５０を回動させて所望の傾斜角度となるように突起部５２を選択した後、遊技機１０を座板２１の上に載せ、外枠１１の上部背面を突起部５２に当接させる（図２２（ａ））。
【００９５】
次に、アジャスト部材３８を遊技機１０の前面側に向けてスライドさせて押圧用ピストン３６を下方に移動させ、遊技機１０の外枠１１の上部に押圧用ピストン３６の先端の高摩擦部材３７を当接させる。これにより遊技機１０毎の高さのばらつきに応じた押圧用ピストン３６の押圧移動開始位置が決まる(図２２（ｂ）)。
【００９６】
次に、操作レバー１０１を手前に引き倒すと、リンク部材１０２によって揺動部材３５が押し下げられ、アジャスト部材３８を介して押圧用ピストン３６が下降して遊技機１０の外枠１１に対する押圧力を増加する。こうして遊技機１０を上方から座板２１および下枠板３に押し付けて挾持することで、遊技機１０が遊技機島２に固定される（図２２（ｃ））。
【００９７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９８】
実施の形態では遊技機１０の左右両端の２箇所に遊技機固定装置３０を設けて遊技機１０を上方から押圧して固定するようにしたが、さらに多くの遊技機固定装置３０を設けて固定してもよい。たとえば、図２３に示すように、左右の端部にそれぞれ複数ずつの遊技機固定装置３０を離隔させて設ければ、押圧力を増しつつ、押圧箇所が分散するので外枠１１の歪みを少なくすることができる。なお、傾斜角変更機構５０は左右に１つずつあればよく、他の遊技機固定装置は傾斜角変更機構５０のないタイプとしてもよい。
【００９９】
また、１つのレバーで複数の押圧用ピストンを動かして遊技機１０を押圧するような構成にしてもよい。
【０１００】
また、弾性部材２４においては、その表面に高摩擦部材３７を設けた構成にしてもよい。すなわち、第１層としてゴムなどの弾性部を備え、その上に硬質の高摩擦部材を第２層として設けるような構成にしてもよい。これにより、遊技機１０の底部側もしっかりと固定され、より少ない押圧力で遊技機１０を遊技機島２に固定することができる。
【０１０１】
このほか、高摩擦部材３７で遊技機１０を上から押圧するための機構は実施の形態で例示したものに限定されない。たとえば、固定された雌螺子に対して相対移動する雄螺子で押圧用ピストン３６を下方へ移動させることにより、遊技機１０を高摩擦部材３７で押圧するような機構でもかまわない。
【０１０２】
また、傾斜角変更機構についても実施の形態で例示した機構に限定されず、遊技機１０の傾斜角度を変更可能に規制できるものであればよい。たとえば、突起部を着脱可能にし、必要な傾斜角度に応じた長さの突起部を回転ベース５１に取り付けるような構成でもかまわない。また、実施の形態では、突起部の数を３つにしているが、これに限らず３つ未満でも４つ以上でもよい。なお、微調整用の機構も実施の形態で例示したものに限定されない。
【０１０３】
実施の形態では、傾斜した座板２１を敷設することで遊技機１０の傾斜を促したが、遊技機１０の底部の前端寄りの箇所において該遊技機１０の底部と下枠板３との間に棒状部材や突起物などの支点部材を配置し、該支点部材を支点として遊技機１０を背面側へ傾斜させるようにしてもよい。
【０１０４】
補強フレーム２２は、遊技機１０毎に設けてもよいし、隣接する遊技機１０の境界においては、これら両側の遊技機で１枚の補強フレーム２２を共用するように構成してもよい。
【０１０５】
弾性部材２４の設置位置は、貫通穴２３の真下のように高摩擦部材３７による押圧力が最も加わる箇所が好ましいが、他の箇所でもかまわない。また弾性部材２４の数も適宜に設定すればよい。
【図面の簡単な説明】
【０１０６】
【図１】本発明の第１の実施の形態に係わる遊技機固定装置で遊技機を遊技機島に固定した状態を示す正面図である。
【図２】本発明の第１の実施の形態に係わる遊技機固定装置で遊技機を遊技機島に固定した状態を示す側面図である。
【図３】本発明の各実施の形態に係わる遊技機固定装置によって固定される遊技機の一例を示す斜視図である。
【図４】前枠を開いた状態の遊技機を示す斜視図である。
【図５】本発明の各実施の形態に係わる遊技機固定装置の取り付け箇所における上枠板を示す平面図である。
【図６】下枠板の敷設される座板を示す平面図である。
【図７】座板上に載置された遊技機の傾き方を示す説明図である。
【図８】本発明の第１の実施の形態に係わる遊技機固定装置の右側面における部分断面を示す説明図である。
【図９】本発明の第１の実施の形態に係わる遊技機固定装置を示す正面図である。
【図１０】本発明の第１の実施の形態に係わる遊技機固定装置を示す底面図である。
【図１１】高摩擦部材の断面を模擬的に示す説明図である。
【図１２】本発明の第１の実施の形態に係わる遊技機固定装置を用いて遊技機を遊技機島に固定する際の操作手順を示す説明図である。
【図１３】遊技機の外枠の上部背面の角に設けられた金具が傾斜角変更機構の突起部の当接箇所に存在する状態の一例を示す説明図である。
【図１４】微調整機能を備えた傾斜角度調整機構を分解した状態を示す説明図である。
【図１５】突起部を後退させた状態の微調整機能付き傾斜角度調整機構を示す断面図である。
【図１６】突起部を進出させた状態の微調整機能付き傾斜角度調整機構を示す断面図である。
【図１７】水平回転ベースを進出させた状態と後退させた状態との水平型傾斜角度調整機構を示す説明図である。
【図１８】水平型傾斜角度調整機構を分解した状態を示す説明図である。
【図１９】水平型傾斜角度調整機構を備えた遊技機固定装置を示す説明図である。
【図２０】本発明の第２の実施の形態に係わる遊技機固定装置を幕板が呼び出しランプの上にある遊技機島へ取り付けた状態を示す説明図である。
【図２１】本発明の第２の実施の形態に係わる遊技機固定装置を用いて遊技機を遊技機島に固定する際の操作手順を示す説明図である。
【図２２】本発明の第３の実施の形態に係わる遊技機固定装置を用いて遊技機を遊技機島に固定する際の操作手順を示す説明図である。
【図２３】遊技機の左右にそれぞれ２個ずつ遊技機固定装置を設置した場合の固定状態を示す説明図である。
【符号の説明】
【０１０７】
２、２ａ…遊技機島
３…下枠板
４…上枠板
５…幕板
６…腰板
７…遊技球補給路
８…呼び出しランプ
１０…遊技機
１１…外枠
１１ａ…横枠
１１ｂ…上枠
１２…前枠
１３…ヒンジ
１４…金具
１５…保護カバー
２１…座板
２１ａ…座板の後端部
２２…補強フレーム
２３…貫通穴
２４…弾性部材
２５…支点
３０…遊技機固定装置
３１…ハウジング部
３１ａ…固定用螺子穴
３１ｂ…シリンダ
３２…フレーム
３３…カム部
３４、３４´…レバー
３４ａ…逃げ穴
３５…揺動部材
３５ａ…スリット
３５ｂ…長穴
３６…押圧用ピストン
３７…高摩擦部材
３８…アジャスト部材
３８ａ…押圧部
３８ｂ…ハンドル部
４１…レバー支持軸
４２…揺動部材支持軸
４３…ピストン支持軸
４４…バネ
５０…傾斜角変更機構
５１…回転ベース
５２…突起部
６０…傾斜角度調整機構
６１…傾斜角変更用ピストン
６１ａ…リブ
６１ｂ…斜面
６１ｃ…螺子受け部
６２…ローター
６２ａ…斜面
６２ｂ…６角形の連結突起
６３…シリンダ
６３ａ…係止溝
６３ｂ…目印リブ
６４…回転ベース
６４ａ…突起部
６５…回転ツマミ
６５ａ…６角穴部
６５ｂ…目盛り
６６…バネ
６６ａ…キャップ
６７…軸支ネジ
６８…抜止ネジ
６９…固定ネジ
７０…水平型傾斜角度調整機構
７１…ケース部
７１ａ、７１ｂ…軸受け部
７１ｃ…挿通溝
７２…スライド部
７２ａ…ねじ溝
７２ｂ…筒部
７２ｃ…支持板
７３…回転シャフト部
７３ａ…ねじ溝
７３ｂ、７３ｃ…回動軸
７４…回転ツマミ
７５…水平回転ベース
７５ａ…突起部
７６…軸支ネジ
７７…操作部固定ネジ
８０…水平型傾斜角度調整機構を備えた遊技機固定装置
９０…遊技機固定装置
９１…サブレバー
９２…サブリンク部材
１００…遊技機固定装置
１０１…操作レバー
１０１ａ…握持部
１０１ｂ…湾曲部
１０２…リンク部材
【図１】
0004467010.tif 000002
【図２】
0004467010.tif 000003
【図３】
0004467010.tif 000004
【図４】
0004467010.tif 000005
【図５】
0004467010.tif 000006
【図６】
0004467010.tif 000007
【図７】
0004467010.tif 000008
【図８】
0004467010.tif 000009
【図９】
0004467010.tif 000010
【図１０】
0004467010.tif 000011
【図１１】
0004467010.tif 000012
【図１２】
0004467010.tif 000013
【図１３】
0004467010.tif 000014
【図１４】
0004467010.tif 000015
【図１５】
0004467010.tif 000016
【図１６】
0004467010.tif 000017
【図１７】
0004467010.tif 000018
【図１８】
0004467010.tif 000019
【図１９】
0004467010.tif 000020
【図２０】
0004467010.tif 000021
【図２１】
0004467010.tif 000022
【図２２】
0004467010.tif 000023
【図２３】
0004467010.tif 000024